(57)【要約】      （修正有）【課題】不正に又はいたずらで開封するのは難しく、開封手順を知得した正規の開封者は容易に開封できるシールエンド型の包装箱を提供する。【解決手段】包装箱は、互いに重なって糊付けされる第一の側面板２０及び糊付け用側面板２８を備える。第一の側面板２０は、第一折罫線５８を介して第一の蓋片５６に連続する開封部７４と、開封時に第一の蓋片５６及び開封部７４を第一の側面板２０から分離させるための開封用破断線７２とを備える。糊付け用側面板２８は、端辺７６と第一破断線７８とで囲まれた第一押圧部８０と、周囲が第二破断線８２で囲まれ、第一押圧部８０の、端辺７６と反対側に離れて配置された第二押圧部８４とを備える。第一押圧部８０は開封部７４に糊付けされ、第二押圧部８４は開封部７４に糊付けされる。糊付け用側面板２８の他の領域は、第一の側面板２０の、開封部７４以外の領域に糊付けされる。【選択図】図２
0003235358.tif 000002
【実用新案登録請求の範囲】
【請求項１】
複数の側面板により形成された筒体と、前記複数の側面板の中の１つである第一の側面板の端辺に第一折罫線を介して延設された第一の蓋片と、前記第一の側面板と対向する第二の側面板の端辺に第二折罫線を介して延設された第二の蓋片と、前記第一の側面板の内側に設けられ、前記第一折罫線を介して前記第一の蓋片に連続する開封部と、開封時に前記第一の蓋片及び前記開封部を前記第一の側面板から分離させるための開封用破断線とを備え、前記第一及び第二の蓋片が重なって相互に糊付けされて蓋部が形成されるシールエンド型の包装箱であって、
組み立て状態で前記第一の側面板の外面に重なる糊付け用側面板が設けられ、前記糊付け用側面板の内側には、組み立て状態で前記第一折罫線に重なる端辺と第一破断線とで囲まれた第一押圧部と、周囲が第二破断線で囲まれ、前記第一押圧部から離れて配置された第二押圧部とが設けられ、
前記第一押圧部は、前記開封部に糊付けされ、前記第二押圧部は、前記開封部に糊付けされ、前記糊付け用側面板の第一及び第二押圧部以外の領域は、前記第一の側面板の、前記開封部以外の領域に糊付けされ、
前記第二押圧部を指で押し込む操作が行われ、且つ前記第一押圧部を指で押し込む操作が行われることによって、前記第二及び前記第一破断線が破断するとともに、前記開封用破断線の、前記開封部を囲む部分が破断することを特徴とする包装箱。
【請求項２】
前記第一押圧部と前記第二押圧部は、前記複数の側面板の連接方向と交差する方向に配置されている請求項１記載の包装箱。
【請求項３】
一枚の箱体形成片によって形成された請求項１又は２記載の包装箱。
【考案の詳細な説明】
【技術分野】
【０００１】
本考案は、開封部を備えたシールエンド型の包装箱に関する。
【背景技術】
【０００２】
従来、例えば特許文献１に開示されているように、複数の側面板により形成された四角形の筒体を有し、後板の端辺に天内板が延設され、前板の端辺に天板が延設さ、後板の内側に、折罫線を介して天内板に連続する開封部（摘み部）が設けられ、開封時に天内板及び開封部を後板から分離させるための開封用破断線が設けられたシールエンドカートンがあった。
【０００３】
このシールエンドカートンは、天板の内側に天内板が重なって相互に糊付けされて蓋部が形成される。そして、開封する時は、開封部を指で押圧して開封用破断線を破断させる操作が行われ、天内板及び開封部が後板から分離し、蓋部を開いて商品等を取り出すことができる。
【先行技術文献】
【特許文献】
【０００４】
【特許文献１】特開２００５−２３１６５１号公報
【考案の概要】
【考案が解決しようとする課題】
【０００５】
特許文献１のシールエンドカートンは、開封部を押し破る操作(１アクション)で簡単に開封することができるが、その一方で、商品が入った状態で店頭に陳列した時、包装箱が短時間のうちに不正開封されて商品等が抜き取られたり、小児のいたずらで開封されてしまったりすることがあった。
【０００６】
本考案は、上記背景技術に鑑みて成されたものであり、不正に又はいたずらで開封するのは難しく、開封手順を知得した正規の開封者は容易に開封できるシールエンド型の包装箱を提供することを目的とする。
【課題を解決するための手段】
【０００７】
本考案は、複数の側面板により形成された筒体と、前記複数の側面板の中の１つである第一の側面板の端辺に第一折罫線を介して延設された第一の蓋片と、前記第一の側面板と対向する第二の側面板の端辺に第二折罫線を介して延設された第二の蓋片と、前記第一の側面板の内側に設けられ、前記第一折罫線を介して前記第一の蓋片に連続する開封部と、開封時に前記第一の蓋片及び前記開封部を前記第一の側面板から分離させるための開封用破断線とを備え、前記第一及び第二の蓋片が重なって相互に糊付けされて蓋部が形成されるシールエンド型の包装箱であって、
組み立て状態で前記第一の側面板の外面に重なる糊付け用側面板が設けられ、前記糊付け用側面板の内側には、組み立て状態で前記第一折罫線に重なる端辺と第一破断線とで囲まれた第一押圧部と、周囲が第二破断線で囲まれ、前記第一押圧部から離れて配置された第二押圧部とが設けられ、前記第一押圧部は、前記開封部に糊付けされ、前記第二押圧部は、前記開封部に糊付けされ、前記糊付け用側面板の第一及び第二押圧部以外の領域は、前記第一の側面板の、前記開封部以外の領域に糊付けされ、前記第二押圧部を指で押し込む操作が行われ、且つ前記第一押圧部を指で押し込む操作が行われることによって、前記第二及び前記第一破断線が破断するとともに、前記開封用破断線の、前記開封部を囲む部分が破断する包装箱である。この包装箱は、一枚の箱体形成片によって形成されることが好ましい。
【０００８】
前記第一押圧部と前記第二押圧部は、前記複数の側面板の連接方向と交差する方向に配置されていると良い。
【考案の効果】
【０００９】
本考案の包装箱は、開封する時、第二押圧部と第一押圧部を順に押し破る操作（複数アクション）を行うことで開封することができ、この開封手順を知らない不正な開封者等は、簡単には開封することができない。したがって、商品が入った状態で店頭に陳列した時、包装箱が短時間で不正開封されて商品が抜き取られたり、小児のいたずらで開封されてしまったりするのを防止することができる。また、開封操作は複数アクションになるが、各々が簡単な操作なので、開封手順を知得した正規の開封者であれば、容易に開封することができる。
【図面の簡単な説明】
【００１０】
【図１】本考案の包装箱の一実施形態の組み立て状態を示す斜視図である。
【図２】この実施形態の包装箱を展開した箱体形成片を表面側から見た平面図である。
【図３】この実施形態の包装箱（組み立て状態）の蓋部付近の状態を示す正面図（ａ）、内部構造を示すＡ−Ａ断面図（ｂ）である。
【図４】この実施形態の包装箱の蓋部を開封する操作を順に示すＡ−Ａ断面図（ａ）、（ｂ）である。
【図５】この実施形態の包装箱の蓋部を開放した状態を示すＡ−Ａ断面図である。
【考案を実施するための形態】
【００１１】
以下、本考案の包装箱の一実施形態について、図面に基づいて説明する。この実施形態の包装箱１０は、図１に示すように、筒体１２の両端がシールエンド型の蓋部１４と底部１６とで閉鎖された直方体形状の箱体である。包装箱１０は、厚紙等で成る一枚の箱体形成片１８を組み立てることによって形成される。
【００１２】
箱体形成片１８は、図２に示すように、互いに平行に連接された５つの側面板２０，２２，２４，２６，２８を有し、折罫線３０，３２，３４，３６で各々区切られている。各側面板は、連接している幅方向の長さは同じで、連接方向の長さは、側面板２０，２４，２８が長くて互いにほぼ等しく、側面板２２，２６が短くて互いにほぼ等しい。以下、側面板２０を第一の側面板２０、側面板２４を第二の側面板２４、側面板２８を糊付け用側面板２８と称する。糊付け用側面板２８は、四角形の筒体１２を形成するため、組み立て時に第一の側面板２０の外面に重ねて糊付けされる板である。
【００１３】
４つの側面板２０，２２，２４，２６は、図２における上側の端辺に、蓋部１４を形成するための部材（サイドフラップや蓋片）が各々延設され、下側の端辺に、底部１６を形成するための部材（サイドフラップや底片）が延設されている。
【００１４】
側面板２２，２６の上側の端辺には台形状のサイドフラップ３８，４０が一対に延設され、折罫線４２，４４で側面板２２，２６と各々区切られている。サイドフラップ３８，４０は、延出長さが第一及び第二の側面板２２，２６の連接方向長さの約1/4である。また、側面板２２，２６の下側の端辺にも、同様のサイドフラップ４６，４８が一対に延設され、折罫線５０，５４で側面板２２，２６と各々区切られている。
【００１５】
第一の側面板２０の上側の端辺には、略長方形の第一の蓋片５６が延設され、第一折罫線５８で第一の側面板２０と区切られている。第一の蓋片５６の延出長さは、第一及び第二の側面板２０，２４の連接方向長さの約4/5である。また、第一の側面板２０の下側の端辺にも、同様の第一の底片６０が延設され、折罫線６２で側面板２０と区切られている。
【００１６】
第二の側面板２４の上側の端辺には、略長方形の第二の蓋片６４が延設され、第二折罫線６６で第二の側面板２４と区切られている。第二の蓋片６４の延出長さは、第一及び第二の側面板２０，２４の連接方向長さと同じか僅かに短い。また、第二の側面板２４の下側の端辺にも、同様の第二の底片６８が延設され、折罫線７０で第二の側面板２４と区切られている。
【００１７】
第一の側面板２０の上側の端部には、開封用破断線７２が設けられている。開封用破断線７２は、両端部が第一折罫線５８の両端部に重なり、中央部が第一の側面板２０内でＵ字形に形成されている。開封用破断線７２は、開封時に、折罫線５８と開封用破断線７２とで囲まれた略長方形の領域（開封部７４）及び第一の蓋片５６を第一の側面板２０から分離させるための破断線である。以下、開封用破断線７２の中の、第一折罫線５８の両端部に重なる部分を７２ａ、開封部７４の上側の約半分の領域の側方に位置する部分を７２ｂ、開封部７４の下側の約半分の領域を囲むＵ字形の部分を７２ｃと表記する。
【００１８】
さらに、糊付け用側面板２８の内側には、上側の端辺７６とＵ字形の第一破断線７８とで囲まれた第一押圧部８０と、周囲が第二破断線８２で囲まれ、第一押圧部８０の、端辺７６と反対側に離れて配置された第二押圧部８４とが設けられている。第一及び第二押圧部８０，８４は、各々が指で押圧可能な大きさになっている。また、第一及び第二押圧部８０，８４は、上側の蓋部１４と下側の底部１６間で上下方向に配置され、第一の側面板２０の開封部７４の内側領域に重ねて各々糊付けされる部分であり、これに合わせて、開封部７４の形状が上下方向に細長い長方形になっている。
【００１９】
次に、再封機能付き包装箱１０の組み立て方法の一例を説明する。ここでは、図２に示す箱体形成片１８の各折罫線及び破断線の折り曲げ方向について、表面が凸になる折り方を正折り、裏面が凸になる折り方を逆折りと称する。
【００２０】
まず、箱体形成片１８の折罫線３２を正折りして第一の側面板２０及び側面板２２を第二の側面板２４及び側面板２６の裏面側に重ねる。そして、第一の側面板２０の表面側の、開封部７４の内側の２箇所に糊８６ａ，８６ｂを塗布し、開封部７４以外の適宜の領域（例えば、折罫線３０に対向する位置）に糊８６ｃを塗布した後、折罫線３６を正折りして糊付け用側面板２８を第一の側面板２０の表面側に重ね、第一押圧部８０と開封部７４とを糊８６ａで糊付けし、第二押圧部８４と開封部７４とを糊８６ｂで糊付けし、第一及び第二押圧部８０，８４以外の領域と開封部７４以外の領域とを糊８６ｃで糊付けする。箱体形成片１８は、この折り畳み状態で再封機能付き包装箱１０の製造工場等から出荷される。
【００２１】
次に、商品等の包装を行う工場等において、箱体形成片１８の折罫線３０，３２，３４，３６を各々９０度に正折りし、５つの側面板２０，２２，２４，２６，２８で成る四角形の筒体１２を形成する。そして、筒体１２の底側の折罫線５０，５４でサイドフラップ４６，４８を各々９０度に正折りし、折罫線６２で第一の底片６０を９０度に正折りしてサイドフラップ４６，４８に重ねる。そして、第一の底片６０の表面に糊（図示せず）を塗布した後、折罫線７０で第二の底片６８を９０度に正折りして第一の底片６０に重ね、第二の底片６８を第一の底片６０に糊付けする。これで、筒体１２の一端部がシールエンド型の底部１６で閉鎖され、反対側の開放している端部から商品等を入れる。
【００２２】
商品等を入れた後は、蓋部１４を形成する。まず、折罫線４２，４４でサイドフラップ３８，４０を各々９０度に正折りし、第一折罫線５８を９０度に正折りして第一の蓋片５６をサイドフラップ３８，４０に重ねる。そして、第一の蓋片５６の表面のほぼ中央部に糊（図示せず）を塗布した後、第二折罫線６６で第二の蓋片６４を９０度に正折りして第一の蓋片５６に重ね、第二の蓋片４６を第一の蓋片５６に糊付けする。これで、筒体１２の他端部もシールエンド型の蓋部１４で閉鎖され、図１に示す組み立て状態になる。
【００２３】
組み立て状態の包装箱１０は、図３（ａ）、（ｂ）に示すように、糊付け用側面板２８は、第一の側面板２０の外面側に重なり、端辺７６が第一折罫線５８にほぼ重なり、第一及び第二押圧部８０，８４が開封部７４の内側に各々糊付けされ、第一及び第二押圧部８０，８４以外の領域は、第一の側面板２０の、開封部７４以外の領域に糊付けされている。
【００２４】
包装箱１０の蓋部１４を開封する時は、まず図４（ａ）に示すように、第二押圧部８４を指で押し込む操作を行う。この操作を行うと、第二押圧部８４と開封部７４の下側の約半分の領域とが同時に押されるので、第二破断線８２及び開封用破断線７２の一部７２ｃがほぼ同時に破断し、第二押圧部８４が糊付け用側面板２８から切り離され、開封部７４の下側の約半分の領域も第一の側面板２０から切り離される。
【００２５】
次に図４（ｂ）に示すように、第一押圧部８０を指で押し込む操作を行う。この操作を行うと、第一押圧部８０と開封部７４の上側の約半分の領域とが押されるので、第一破断線７８及び開封用破断線７２の一部７２ｂがほぼ同時に破断し、第一押圧部８０が糊付け用側面板２８から切り離され、開封部７４の上側の約半分の領域も第一の側面板２０から切り離される。
【００２６】
そして、押し破られた第一押圧部８０に指を掛けて第一及び第二の蓋片５６，６４を引き上げて開封用破断線７２の残りの部分７２ａを破断させると、図５に示すように蓋部１４を大きく開いて中の商品等を取り出すことができる。このように、包装箱１０は、最初に第二押圧部８４を押し破り、その後で第一押圧部８０を押し破るという手順で容易に開封することができる。
【００２７】
例えば、正規の開封手順を知らない不正な開封者は、従来の包装箱を開封する時と同じ要領で第一押圧部８０だけを押し破ろうとする。しかし、図３（ａ）、（ｂ）から分かるように、第一押圧部８０だけを押し込んでも、開封部７４の下側の約半分の領域を押し破ることができないので、開封用破断線７２の一部７２ｃを破断させることができず、一部７６ｂについても破断させることは難しい。したがって、単純に第一押圧部８０を押し込む操作だけを行っても、開封部７４を第一の側面板２０から分離させることができず、蓋部１４を開閉可能にすることできない。
【００２８】
以上説明したように、包装箱１０は、開封する時、第二押圧部８４と第一押圧部８０を順に押し破る操作（２アクション）を行うことで開封することができ、この開封手順を知らない不正な開封者等は、簡単には開封することができない。したがって、商品が入った状態で店頭に陳列した時、包装箱１０が短時間で不正開封されて商品が抜き取られたり、小児のいたずらで開封されてしまったりするのを防止することができる。また、開封操作は２アクションになるが、各々が簡単な操作なので、開封手順を知得した正規の開封者であれば、容易に開封することができる。また、特に第二押圧部８４は、一度押し破ると元の状態に綺麗に戻すことは困難な構造なので、不正開封されたとしても確実に痕跡が残り、優れた改ざん抑制効果が得られる。
【００２９】
なお、本考案の再封機能付き包装箱は、上記実施形態に限定されるものではなく、例えば、第一押圧部、第二押圧部及び開封部の形状や大きさは、本考案が目的とする「第二押圧部と第一押圧部の両方を押し破ることによって開封できる。」という動作が可能な範囲で、自由に変更することができる。例えば、第一押圧部と第二押圧部は、第一の側面板２０の第一折罫線５８に沿って複数箇所に配置されていても良い。また、第一の蓋片５６は、糊付け用側面板２８の端辺７６に連接されていても良い。糊付け用側面板２８の大きさについても、必ずしも第一の側面板２０にちょうど重なる大きさでなくてもよい。
【００３０】
また、上記実施形態では、第二の蓋片６４を外蓋、第一の蓋片５６を内蓋としているが、第二の蓋片６４を内蓋、第一の蓋片５６を内蓋としてもよい。その他、底部及びその周辺部の構成は、上記の底部１６の構造に限定されず、自由に変更することができ、例えば、蓋部及びその周辺部と同じ構造又は対象な構造にしてもよい。
【符号の説明】
【００３１】
１０  包装箱
１２  筒体
１４  蓋部
１６  底部
１８  箱体形成片
２０  第一の側面板
２２，２６  側面板
２４  第二の側面板
２８  糊付け用側面板
５６  第一の蓋片
５８  第一折罫線
６４  第二の蓋片
６６  第二折罫線
７２（７２ａ，７２ｂ，７２ｃ）  開封用破断線
７４  開封部
７６  端辺
７８  第一破断線
８０  第一押圧部
８２  第二破断線
８４  第二押圧部
８６ａ，８６ｂ，８６ｃ  糊
【図１】
0003235358.tif 000003
【図２】
0003235358.tif 000004
【図３】
0003235358.tif 000005
【図４】
0003235358.tif 000006
【図５】
0003235358.tif 000007